(57)【要約】【課題】軽量で、水密性が高く、建造作業が容易な構造体を提供する。【解決手段】柱部材１２と梁部材１４とから骨組を構成する。骨組を枠体としてその内側に密接してパネル材１６を配置する。パネル材１６の外側面とパネル材１６を取り囲む枠体の面に、ポリウレアからなる一体的な外側ウレア層２２を形成する。外側ウレア層２２が形成されるパネル材１６の外側面と枠体の面が同一面を形成させる。パネル材１６は、平板状の芯材１８と、芯材１８の両面にポリウレアからなる下地ウレア層２０を備える。芯材１８には、発泡樹脂が用いられる。【選択図】図２
2018177123.tif 000002
【特許請求の範囲】
【請求項１】
柱部材と梁部材とから構成される骨組と、
前記骨組を枠体としてその内側に密接して配置されるパネル材と、
前記パネル材の少なくとも一方の面および前記パネル材を取り囲む枠体の面に、分子構造にウレア結合を持つ樹脂からなる一体的な外側ウレア層が形成されたことを特徴とする構造体。
【請求項２】
前記一体的な外側ウレア層が形成される前記パネル材の前記一方の面と前記枠体の面が同一面を形成することを特徴とする請求項１に記載の構造体。
【請求項３】
前記パネル材が、平板状の芯材と、前記芯材の両面に分子構造にウレア結合を持つ樹脂からなる下地ウレア層とを備えることを特徴とした請求項１または請求項２に記載の構造体。
【請求項４】
前記芯材に、発泡樹脂が含まれることを特徴とする請求項３に記載の構造体。
【請求項５】
前記外側ウレア層が１ｍｍ〜５ｍｍの厚さを有することを特徴とする請求項１〜４の何れか一項に記載の構造体。
【請求項６】
前記外側ウレア層が、前記構造体の外側の面に形成されたことを特徴とする請求項１〜５の何れか一項に記載の構造体。
【請求項７】
前記パネル材が、前記構造体の壁面または天井を構成することを特徴とする請求項１〜６の何れか一項に記載の構造体。
【請求項８】
前記構造体が、船舶の上部構造物であることを特徴とする請求項１〜７の何れか一項に記載の構造体。
【請求項９】
請求項１〜８の何れか一項に記載の構造体を備えることを特徴とする船舶。
【請求項１０】
柱部材と梁部材とから構成される骨組を建造する工程と、
前記骨組を枠体としてその内側にパネル材を密接して配置する工程と、
前記パネル材の少なくとも一方の面および前記パネル材を取り囲む枠体に分子構造にウレア結合を持つ樹脂を一体的に吹き付け１ｍｍ〜５ｍｍの厚さのウレア層を形成する工程と
を備えることを特徴とする構造体建造方法。
【請求項１１】
枠体の内側に配置して構造体の壁面を形成するためのパネル材であって、
平板状の芯材の両面のみに分子構造にウレア結合を持つ樹脂からなるウレア層が形成されたことを特徴とするパネル材。
【発明の詳細な説明】
【技術分野】
【０００１】
本発明は、パネル材を用いて建造される構造体に関する。
【背景技術】
【０００２】
船舶の上甲板上に建造される上部構造物は、一般的には鋼製の薄板により外壁面、内壁面、天井、床が形成される。またこのような構造では、上部構造物の構造荷重を支持するために、ガーダやスチフナからなる防撓材が溶接されるのが一般的である。そのため上部構造物の構造重量が重くなるとともに、防撓材により艤装品や化粧材の配置スペースが減少する。また、防撓材の溶接量が多いことから作業量が嵩むこととなる。一方、高速船などでは、プレートの端辺部に直角に折曲して形成された接合鍔部を設け、これらのプレートをボルトなどで組み立てて上部構造物の外殻体を形成する構成も提案されている（特許文献１）。
【先行技術文献】
【特許文献】
【０００３】
【特許文献１】特開平０９−２２６６７４号公報
【発明の概要】
【発明が解決しようとする課題】
【０００４】
しかし、特許文献１の構成は、大型の構造物には向かず、ボルト締めなどの繁雑な作業を必要とする。また接合部における水密性の確保においても有利とは言えない。
【０００５】
本発明は、軽量で、水密性が高く、建造作業が容易な構造体を提供することを目的としている。
【課題を解決するための手段】
【０００６】
本発明の構造体は、柱部材と梁部材とから構成される骨組と、骨組を枠体としてその内側に密接して配置されるパネル材と、パネル材の少なくとも一方の面およびパネル材を取り囲む枠体の面に、分子構造にウレア結合を持つ樹脂からなる一体的な外側ウレア層が形成されたことを特徴としている。
【０００７】
一体的な外側ウレア層が形成されるパネル材の少なくとも一方の面と枠体の面が同一面を形成する。パネル材は、平板状の芯材と、芯材の両面に分子構造にウレア結合を持つ樹脂からなる下地ウレア層とを備える。芯材には、発泡樹脂が含まれる。外側ウレア層は１ｍｍ〜５ｍｍの厚さを有する。外側ウレア層は、構造体の外側の面に形成される。パネル材は、構造体の壁面または天井を構成する。構造体は、船舶の上部構造物である。
【０００８】
本発明の船舶は、上記何れかの構造体を備えることを特徴としている。
【０００９】
本発明の構造体建造方法は、柱部材と梁部材とから構成される骨組を建造する工程と、骨組を枠体としてその内側にパネル材を密接して配置する工程と、パネル材の少なくとも一方の面およびパネル材を取り囲む枠体に分子構造にウレア結合を持つ樹脂を一体的に吹き付け１ｍｍ〜５ｍｍの厚さのウレア層を形成する工程とを備えることを特徴としている。
【００１０】
本発明のパネル材は、枠体の内側に配置して構造体の壁面を形成するためのパネル材であって、平板状の芯材の両面のみに分子構造にウレア結合を持つ樹脂からなるウレア層が形成されたことを特徴としている。
【発明の効果】
【００１１】
本発明によれば、軽量で、水密性が高く、建造作業が容易な構造体を提供することができる。
【図面の簡単な説明】
【００１２】
【図１】本発明の一実施形態である構造物全体の外観を示す斜視図である。
【図２】枠体に取り付けられたパネル材の状態を示す断面図である。
【発明を実施するための形態】
【００１３】
以下、本発明の実施形態について添付図面を参照して説明する。
図１は、本発明の一実施形態の構造体全体の外観を示す斜視図である。
【００１４】
本実施形態において構造体１０は、船舶の上甲板上に設けられる上部構造物である。なお、図１において船体は省略されている。構造体１０は、多数の柱部材１２と梁部材１４でその骨組が形成される。柱部材１２、梁部材１４は、例えばＨ型鋼材、角型鋼材などの一般的な型材である。また柱部材１２および梁部材１４（あるいは上甲板）により構成される枠体によって囲まれる領域には、構造体１０の外殻となるパネル材１６が配置され、外壁を構成する。
【００１５】
図２は、枠体に取り付けられたパネル材１６の状態を示す断面図である。枠体は例えば矩形を呈し、枠体の内寸法に略一致する矩形のパネル材１６が枠体内に密接して配置される。すなわち、図２に示されるように、パネル材１６の周縁部は、一対の柱部材１２および一対の梁部材１４に密接して配置される。
【００１６】
パネル材１６の芯材１８としては、例えば発泡スチロール樹脂や発泡ウレタン樹脂などの発泡樹脂が用いられる。芯材１８の両面には、分子構造にウレア結合を持つ樹脂として例えばポリウレアが塗布されており、下地ウレア層２０が形成される。パネル材１６の一方の面、すなわち構造体１０において外側に位置する面は、枠体（柱部材１２、梁部材１４）の外側の面と略同一面となる位置に配置される。パネル材１６を装着後、この外壁面には、分子構造にウレア結合を持つ樹脂としてポリウレアが吹き付けられる。ポリウレアは、例えば約１ｍｍ〜５ｍｍ、より好ましくは１ｍｍ〜２ｍｍの厚さで塗布され、一体的な外側ウレア層２２を形成する。
【００１７】
なお、パネル材１６の厚さは約５０ｍｍ〜２００ｍｍであり、より好ましくは５０ｍｍ〜１００ｍｍである。また、柱部材１２、梁部材１４を形成する型材の奥行き方向の幅以下であることが好ましく、一辺は約１ｍ〜３ｍである。また、構造体は例えば約１５ｍの高さである。
【００１８】
以上のように、本実施形態によれば、軽量なパネル材を枠体に嵌め込み、外側からポリウレアを吹き付けるだけで外壁を備える構造体を建造できる。これにより上部構造物の重量が軽減でき、建造作業も極めて簡略化される。また外壁はポリウレア層で覆われるので水密性も確保できる。また、ポリウレア層により、パネル材及び骨組に耐候性を付与できる。更に、防撓材などの突出部材がないので、艤装品や化粧材を効率的に配置できる。
【００１９】
なお、図示例では、構造体の外壁面に本実施形態のパネル材を嵌め込む場合を例に説明を行なったが、構造体内の天井や内壁に用いることもできる。また、パネル材の枠体への設置が簡略されるように、枠体の外側の縁、もしくは枠体の外側からパネル材の厚み分だけ内側に入った位置に、フランジ状、あるいはタブ状の部材を設け、枠体内に挿入されたパネル材がこれらの部材に当接することで、枠体の外側の面と同一面とする位置決めが完了する構成としてもよい。
【００２０】
パネル材は、例えば大きな芯材の表面にポリウレアを吹き付けて製造された元パネルを、枠体の形状や大きさに合わせて切り出して製造される。また芯材は、発泡樹脂に限定されない。
【００２１】
本実施形態で、船舶の上部構造物を例に説明を行なったが、本実施形態の構造体は陸上に建設されるプレハブなどにも適用できる。
【符号の説明】
【００２２】
１０  構造体
１２  柱部材
１４  梁部材
１６  パネル材
１８  芯材
２０  下地ウレア層
２２  外側ウレア層
【図１】
2018177123.tif 000003
【図２】
2018177123.tif 000004